(57)【要約】【課題】従来、フォトダイレクトプリンタと呼ばれるものは、ＬＣＤと複数のキーを装備し、これらのキーとＬＣＤから画像データを選択し、印刷指示を行なっていたが、ＬＣＤを装着することなく、また、キーの個数を大幅に減らすことにより、廉価なフォトプリンタを提供する。【解決手段】サムネイルＳＷによりユーザに指示されたサムネイル印刷で、メモリーカードより複数の画像を取得し縮小印刷され、さらに、その近傍にそれぞれの画像データを示すチェックボックスが印刷される。ユーザはサムネイル印刷した用紙上の印刷したい画像のチェックボックスに印を付け、この用紙を給紙ストックに入れ、サムネイルＳＷをオンする。紙は給紙され、ユーザにより印がつけられた用紙上のチェックボックスがスキャンされ、個々の画像に対して指示されたパラメータで印刷する。【選択図】        図５
2004167925.tif 000002
【特許請求の範囲】
【請求項１】
インクジェット記録装置において、縮小印刷するための第一の印刷指示手段と、前記縮小印刷された画像の近傍に設けられた第二の印刷指示手段と、前記第二の印刷指示手段により紙上をスキャンする手段と、前記スキャンにより得られた情報に従って印刷する手段を備えることを特徴とする、フォトプリンタシステム。
【請求項２】
インクジェット記録装置において、縮小印刷するための第一の印刷指示手段と、前記縮小印刷された画像の近傍に設けられた第二の印刷指示手段が段階指示、複合指示が可能であることを特徴とする、請求項１に記載のフォトプリンタシステム。
【発明の詳細な説明】
【０００１】
【発明の属する技術分野】
本発明はインクジェット記録装置に関し、デジカメなどで撮られた外部データを印刷するシステムに関する。
【０００２】
【従来の技術】
従来、フォトダイレクトプリンタと呼ばれるものは、ＬＣＤと複数のキーを装備し、これらのキーとＬＣＤから画像データを選択し、印刷指示を行なっていた。
【０００３】
【発明が解決しようとする課題】
しかしながら、上記従来例では、ＬＣＤ及び画像の選択、表示指示、印刷指示等をするため多数のキーを装備することによりコストアップしてしまい、廉価なフォトダイレクトプリンタを市場に提供することができない、という問題点があった。
【０００４】
【課題を解決するための手段】
本発明は上記実情に鑑みて為されたもので、ＬＣＤを装着することなく、また、キーの個数を大幅に減らすことにより、廉価なフォトプリンタを提供することを目的とする。
【０００５】
【発明の実施の形態】
（図１）において、プリンタにはプログラム可能なマイクロプロセッサなどの中央処理ユニット（ＣＰＵ）１、が内蔵されている。ＲＯＭ２はフォントデータ、プリンタシステムを制御するためのＣＰＵ１によって実行されるプログラム命令シーケンス、各種制御テーブルを格納する。ＲＡＭ２０はＣＰＵ１がＲＯＭ２に格納されているプログラムを実行している間に、記録ヘッド１２によるプリント出力のため、ＲＡＭ２０内のプリントバッファに、着脱可能なＭｅｍｏｒｙ  Ｃａｒｄ２２より取得したデータ、または、インタフェイス１９から送られてきた各種記録データを格納する。
【０００６】
制御ロジックであるところのゲートアレイ８は記録ヘッド１２内のノズル用の制御信号を出力するため、記録ヘッドドライバー１１を制御する共に、インタフェイス１９、ＣＰＵ１、およびＲＡＭ２０の間のデータ転送も制御し、さらに、モータドライバ１３、１５、１７の制御ロジックを備えている。
【０００７】
プリンタにはＣＰＵバス７につながっているＣＰＵ１、および、プリンタとホストコンピュータとを仲介するインタフェイス１９が内蔵されている。インタフェイス１９は双方向送受信可能な信号経路を備え、ホストコンピュータから記録データとコマンドを送受信する。
【０００８】
ラインフィードモータドライバ１３によって制御されるラインフィードモータ１４は記録用紙の送りと給排紙を制御する。キャリッジモータドライバ１５によって制御されるキャリッジモータ１６は記録ヘッド１２の走査行上の記録位置への移動を制御する。ＡＳＦモータドライバ１７によって制御されるＡＳＦモータ１８は記録用紙のピックアップを制御する。
【０００９】
ブラック記録ヘッドドライバー１１ａとカラー記録ヘッドドライバー１１ｂによって制御されるブラック記録ヘッド１２ａとカラー記録ヘッド１２ｂは、キャリッジで移動させる取り外し可能な記録ヘッドであり、これらのヘッドには記録媒体上に記録画像を形成するためのインク吐出ノズル、ならびに取り外し可能な記録ヘッドの存在や特性に関する情報をフィードバックするヘッドダイオード１０が含まれる。
【００１０】
記録ヘッドドライバー１１から送られる電気信号に基づいて、記録ヘッド１２の電気熱変換素子を駆動し、インクに膜沸騰を生起させるための熱エネルギーを発生させる。記録ヘッド１２の温度によってインクの吐出量が変化するので、プリンタ内の周辺温度を測定するサーミスタ３と記録ヘッド１１のヘッドダイオード１０からの温度出力が監視される。
【００１１】
ＣＰＵ１は非記録期間中、記録期間中にかかわらずインクを予熱するために予熱素子９に供給するエネルギー量を制御する。
【００１２】
ＥＥＰＲＯＭ２１は記録ヘッド構成、記録ヘッドアライメントパラメータ、記録ヘッド駆動パラメータ、モータの駆動履歴、インクカートリッジ内のインク状況などプリント情報を格納するための不揮発性のメモリである。
【００１３】
プリンタにはペーパエンドセンサ（ＰＥセンサ）、給紙センサ（ＡＳＦセンサ）、カバーセンサなどのセンサ４、パワーＳＷ、リジュ−ムＳＷ、サムネイルＳＷ、チェックボックスＳＷなどのユーザ作動用のスイッチ５が装備されている。さらに、ユーザにプリンタの状態を知らせる表示用のＬＥＤ６も装備されている。
【００１４】
キャリッジに搭載されたスキャン用フォトセンサ２３は、ＣＰＵ１からの指示によりＬＥＤ２３ａを発光させ、紙面上のチェックボックスからの反射光をフォトダイオード（ＰＤ）２３ｂにて検出する。
【００１５】
電源２４はプリンタの駆動用電源を供給する。
【００１６】
（図２）は後述のサムネイル印刷のフローチャート（図７）により示される手順で出力されたチェックボックス付のサムネイル印刷の結果を示す図である。１に示される画像より順に、メモリーカードより取得された画像が縮小され、順次印刷される。また、印刷された画像データの近傍に、画像データを示すチェックボックスがそれぞれ印刷される。２のチェックボックスは１の画像を示す。３のチェックボックスはページを示すチェックボックスで、左から順に１ページ目、２ページ目、一番右は６ページ目を示している。
【００１７】
（図３）は（図２）のチェックボックス付のサムネイル印刷に、ユーザが特に一部一部印刷して画像を大きく印刷したい時、画像の該当チェックボックスに印を付けて、印刷指示を与えた図である。１に示される画像より順に、サムネイル印刷がされていて、印刷された画像データの近傍に、画像データを示すチェックボックスがそれぞれ印刷されている。２のチェックボックスは何も指示がないが、３のチェックボックスには印があり、印刷指示がされている。また、５、６のチェックボックスにも印があり、印刷指示がされている。４はページを示し、ここでは左から２番目に印があり、つまり、２ページ目の画像データであることを示している。
【００１８】
（図４）は（図２）のチェックボックス付のサムネイル印刷に、ユーザが印刷したい画像の印刷モードを複数変更したい時のチェックボックスの指示方法で、該当チェックボックスに複数の印を付けて、複数の印刷指示を与えた図である。１に示される画像より順に、サムネイル印刷がされていて、印刷された画像データの近傍に、画像データを示すチェックボックスがそれぞれ印刷されている。２のチェックボックスは何も指示がないが、３のチェックボックスは濃度が濃く、印刷指示がされている。４はページを示し、ここでは左から２番目の濃度が濃く、つまり、２ページ目の画像データであることを示している。
【００１９】
５は濃度が濃く、６は濃度が中程度、７も濃度が中程度、８は濃度が低いことが検出され、３段階の印刷指示が可能である。９は位置が左、１０は位置が真中、１１は位置が右であることが検出され、ここでも３段階の印刷指示が可能である。
【００２０】
また、１２では１つの画像に対して、３つのチェックボックスがあり、真中のチェックボックスに濃度を濃く印が付けられている。１３も１つの画像に対して、３つのチェックボックスがあり、左のチェックボックスには位置が左、右のチェックボックスには濃度が中程度の印が付けられている。１４では右のチェックボックスに濃度が中程度で、位置が右の印が付けられている。
【００２１】
１２、１３、及び１４では３つのチェックボックスそれぞれに対して、濃度４通り、位置４通りの指示、組み合わせで合計１２の指示が可能であり、それぞれ組み合わせると指定可能な組み合わせは、合計３ｘ１２＝３６通りである。３つあるチェックボックスは画像の大きさを指示する。一番左は（縮小）モード、真中は（等倍）モード、一番右は（拡大）モード。位置の違いは部数を指示している。位置が左の時は１部、真中の時は２部、右の時は３部。濃度の違いも部数を指示している。濃度が濃いものは１５部、濃度が中程度は１０部、濃度が低いものは５部を指示する。つまり、１２は等倍で１５部の印刷指示、１３は縮小で２部、拡大で３部の印刷指示、１４は拡大で１３部（１０＋３）の印刷指示をしている。
【００２２】
画像の印刷モードは他に印刷品質、色調整、用紙の種類、給紙方法等がある。
【００２３】
（図５）において、ＲＯＭ２（図１）に格納されている、フォトプリンタのメモリーカードより画像を印刷するメインプログラムＳ−１がスタートする。Ｓ−２でＲＡＭ２０（図１）内のサムネイル印刷モードをオフにする。Ｓ−３で同じくＲＡＭ２０（図１）内のチェックボックスモードをイニシャルして、レギュラーモードとする。
【００２４】
Ｓ−４でチェックボックスＳＷ５（図１）のオンオフ状態を調べ、オフなら何もせずにＳ−６に遷移する。オンの時はＳ−５でチェックボックスモードを変更する。チェックボックスモード変更では、後述のサムネイル印刷で印刷されるチェックボックスをスキャンするモード（レギュラーモード、拡張モードの濃度検出モード＆位置検出モード）を選択する。
Ｓ−６ではサムネイルＳＷ５（図１）のオンオフ状態を調べる。オフなら何もせずにＳ−４に遷移し、再び、Ｓ−４でチェックボックスＳＷのオンオフ状態を調べる。Ｓ−６でサムネイルＳＷがオンの時はＳ−７でサムネイル印刷モードを調べる。オンの時はＳ−１０に遷移する。最初はサムネイル印刷モードがオフなので、Ｓ−８でサムネイル印刷を実行して、Ｓ−９でサムネイル印刷モードをオンして、Ｓ−４に戻る。サムネイル印刷では、メモリーカードより取得された複数の画像データが縮小され印刷され、さらに、その近傍にそれぞれの画像データを示すチェックボックスも印刷される。
ユーザはＳ−８でサムネイル印刷した用紙上の印刷したい画像のチェックボックスに印を付け、この用紙を給紙ストックに入れ、サムネイルＳＷをオンする。ここまで、プログラムはＳ−４からＳ−６の間をループしているが、サムネイルＳＷをオンすることにより、Ｓ−６でオンを検知し、ループから抜ける。Ｓ−７ではサムネイル印刷後、既にＳ−９でサムネイル印刷モードがオンされているので、Ｓ−１０に遷移する。
【００２５】
Ｓ−１０ではユーザにより印がつけられた用紙上のチェックボックスをスキャンし、個々の画像に対して指示されたパラメータをＲＡＭ２０に記憶する。次にＳ−１１で選択指示された画像をメモリーカードよりＲＡＭ２０に展開して、指定のパラメータで印刷する。ここでユーザはチェックボックスに印がつけられた用紙が複数有る場合、再びＳ−１２でサムネイルＳＷをオンすることでＳ−１０、Ｓ−１１のシーケンスで画像を印刷することが可能である。Ｓ−１２でサムネイルＳＷがオフなら、Ｓ−１３で一定時間ウェイトした後、Ｓ−１４でサムネイル印刷モードをオフし、Ｓ−４に戻り処理を続ける。
【００２６】
（図６）において、メインプログラムＳ−１から呼ばれるチェックボックスモード変更プログラムＳ−５がスタートする。Ｓ−５−１でチェックボックスモードが調べられる。チェックボックスモードがレギュラーモードの時はＳ−５−２でチェックボックスモードが拡張モードであるところの濃度検出モード＆位置検出モードに変更される。また、チェックボックスモードが拡張モードの時はＳ−５−３でチェックボックスモードがレギュラーモードに変更され、Ｓ−５−４でメインプログラムへ戻る。
【００２７】
（図７）において、メインプログラムＳ−１から呼ばれるサムネイル印刷のプログラムＳ−８がスタートする。Ｓ−８−１でメモリーカードより個々の画像データを予め決められた大きさに縮小され、ＲＡＭに展開される。Ｓ−８−２では色処理が実行され、Ｓ−８−３では表示用のＲＧＢデータから印刷用ＣＭＹＫデータへ画像データが変換される。Ｓ−８−４では個々のデータに対してそれぞれのチェックボックスを画像の近傍に生成する。１ページの印刷データがフルになった、または、メモリーカードのデータが終了した時は、Ｓ−８−５からＳ−８−６へ遷移する。その他の場合はＳ−８−１に戻り、処理を続ける。Ｓ−８−６では給紙をして、Ｓ−８−７で展開されたサムネイルの印刷を実行して、Ｓ−８−８で排紙する。メモリーカードのデータがまだ残っている時は、Ｓ−８−９からＳ−８−１に遷移し処理を続ける。メモリーカードのデータが終了した時はＳ−８−１０でメインプログラムへ戻る。
【００２８】
（図８）において、メインプログラムＳ−１から呼ばれるチェックボックスのスキャンのプログラムＳ−１０がスタートする。Ｓ−１０−１でサムネイル印刷された後、ユーザにより印刷指示され、給紙ストックに置かれた用紙を給紙し、Ｓ−１０−２で該当用紙上のチェックボックスをフォトセンサ２３（図１）でスキャンする。Ｓ−１０−３ではチェックボックスで指示された個々の画像に対してパラメータを設定しＲＡＭに記憶する。Ｓ−１０−４で用紙を排紙後、Ｓ−１０−５でメインプログラムへ戻る。
【００２９】
（図９）において、メインプログラムＳ−１から呼ばれる画像の印刷のプログラムＳ−１１がスタートする。Ｓ−１１−１でチェックボックスにより、ユーザに印刷指示された画像データを、メモリーカードよりＲＡＭに展開する。Ｓ−１１−２では色処理が実行され、Ｓ−１１−３では表示用のＲＧＢデータから印刷用ＣＭＹＫデータへ画像データが変換される。Ｓ−１１−４でチェックボックスにより、ユーザに印刷指示された画像データのＲＡＭに記憶されたパラメータに従い、印刷データを生成する。Ｓ−１１−５では給紙をして、Ｓ−１１−６で展開された画像データの印刷を実行して、Ｓ−１１−７で排紙する。チェックボックスで印刷指示されたデータがまだ残っている時はＳ−１１−８からＳ−１１−１へ遷移し処理を続ける。チェックボックスで印刷指示されたデータが終了した時はＳ−１１−９でメインプログラムへ戻る。
【００３０】
【発明の効果】
フォトダイレクトプリンタにＬＣＤを装着することなく、また、キーの個数を大幅に低減することにより、廉価なフォトプリンタを提供できる。また、サムネイル印刷により、実際のプリンタの色目を事前に見ることもでき、尚且つ、印刷指示用のチェックボックスがサムネイル印刷した画像の近傍にあるので、印刷指示が容易である、という効果も有る。
【図面の簡単な説明】
【図１】フォトプリンタのハードウェア構成を示す詳細ブロック図である。
【図２】フォトプリンタにより出力されたチェックボックス付のサムネイル印刷結果を示す図である。
【図３】フォトプリンタにより出力されたチェックボックス付のサムネイル印刷結果に対して、ユーザがチェックボックスに印刷指示を与えた図である。
【図４】フォトプリンタにより出力されたチェックボックス付のサムネイル印刷結果に対して、ユーザがチェックボックスに複数の印刷指示を与えた図である。
【図５】フォトプリンタのメモリーカードより画像を印刷するメインプログラムのフローチャートである。
【図６】フォトプリンタのチェックボックスモード変更のプログラム部品のフローチャートである。
【図７】フォトプリンタのサムネイル印刷のプログラム部品のフローチャートである。
【図８】フォトプリンタのチェックボックスのスキャンのプログラム部品のフローチャートである。
【図９】フォトプリンタの画像の印刷のプログラム部品のフローチャートである。
【符号の説明】
１  ＣＰＵ
２  ＲＯＭ
３  サーミスタ
４  センサ
５  スイッチ
６  ＬＥＤ
７  ＣＰＵバス
８  ゲートアレイ
９  予熱素子
１０  ヘッドダイオード
１１ａ  ブラック記録ヘッドドライバー
１１ｂ  カラー記録ヘッドドライバー
１２ａ  ブラック記録ヘッド
１２ｂ  カラー記録ヘッド
１３  ラインフィードモータドライバ
１４  ラインフィードモータ
１５  キャリッジモータドライバ
１６  キャリッジモータ
１７  ＡＳＦモータドライバ
１８  ＡＳＦモータ
１９  インタフェ−ス
２０  ＲＡＭ
２１  ＥＥＰＲＯＭ
２２  Ｍｅｍｏｒｙ  Ｃａｒｄ
２３  フォトセンサ
２３ａ  ＬＥＤ
２３ｂ  ＰＤ（フォトダイオード）
２４  電源
【図１】
2004167925.tif 000003
【図２】
2004167925.tif 000004
【図３】
2004167925.tif 000005
【図４】
2004167925.tif 000006
【図５】
2004167925.tif 000007
【図６】
2004167925.tif 000008
【図７】
2004167925.tif 000009
【図８】
2004167925.tif 000010
【図９】
2004167925.tif 000011